(57)【要約】  本発明は、ユーザがユーザ機器［１３０］によって利用できるサービス／商品の支払を行うためにユーザ機器を用いることを所望するときに販売者の場所の利用できる一つ以上の売り場専用（ＰＯＳ）端末［１００］の簡単かつ円滑な検出を自動的に促進する方法及びシステム［１００Ａ］を提供する。本発明は、ユーザ機器が利用できるＷｉＦｉ（登録商標）ネットワークのＰＯＳ端末［１００］を検出するスケーラブルであり、使用が簡単であり、シームレスであり、かつ、効率的な方法を提供する。検出された利用できるＰＯＳ端末［１００］に対応する情報は、ユーザが適切なＰＯＳ端末［１００］を容易に選択することができるとともに更なる支払処理を開始できるようにするためにユーザ機器［１３０］に表示される。一つ以上の利用できるＰＯＳ端末［１００］は、第１のサーバ装置［１１０］及び第２のサーバ装置［１２０］の助けを借りながらユーザ機器［１３０］によって検出される。
2021527352.tif 000002
【特許請求の範囲】
【請求項１】
ワイヤレス決済の方法であって、
ＵＥ識別子、一つ以上のアドバタイズサービスセット識別子及び前記一つ以上のアドバタイズサービスセット識別子に関連する信号強度情報をユーザ機器［１３０］から第１のサーバ装置［１１０］に送信することであって、
前記一つ以上のアドバタイズサービスセット識別子は、無線信号が前記ユーザ機器［１３０］によって受信される一つ以上のアクセスポイント［１０５］に対応することと、
受信した前記一つ以上のアドバタイズサービスセット識別子、前記ＵＥ識別子、前記信号強度情報及び第１のサーバ装置［１１０］の識別子を前記第１のサーバ装置［１１０］から第２のサーバ装置［１２０］に送信することと、
受信した前記一つ以上のアドバタイズサービスセット識別子、前記ＵＥ識別子及び前記第１のサーバ装置の識別子に基づいて、前記第２のサーバ装置［１２０］によって第１のリストを生成することであって、前記第１のリストは、一つ以上の有効なサービスセット識別子と、前記有効なサービスセット識別子の各々に対応する少なくとも一つのＰＯＳ端末識別子と、を備えることと、
前記第１のリストを前記第２のサーバ装置［１２０］から前記第１のサーバ装置［１１０］に送信することと、
前記第１のリストに基づく第２のリストを前記第１のサーバ装置［１１０］によって生成することであって、前記第２のリストは、前記有効なサービスセット識別子の各々に対応する少なくとも一つのＰＯＳ端末識別子と、前記少なくとも一つのＰＯＳ端末識別子に対応する追加情報と、を備えることと、
前記第２のリストを前記第１のサーバ装置［１１０］によって前記ユーザ機器［１３０］に送信することと、
前記ユーザ機器［１３０］により前記第２のリストを表示することであって、前記第２のリストの前記少なくとも一つのＰＯＳ端末の識別子に対応する少なくとも一つのＰＯＳ端末［１００］がワイヤレス決済に利用できることと、
ワイヤレス決済のための支払処理オプションの選択を表す入力を前記ユーザ機器［１３０］で受信することであって、前記支払処理オプションは、表示された前記第２のリストから選択されることと、
を備える方法。
【請求項２】
前記一つ以上のアドバタイズサービスセット識別子に関連する受信した信号強度情報に基づいて前記第１のリスト、前記第２のリスト及びその組合せのうちの一つをソートすることを更に備える、請求項１に記載の方法。
【請求項３】
優先支払オプションの選択を表す入力を前記ユーザ機器［１３０］で受信することを更に備える、請求項１に記載の方法。
【請求項４】
ワイヤレス決済のシステム［１００Ａ］であって、
一つ以上のアクセスポイント［１０５］に接続された少なくとも一つのＰＯＳ端末［１００］であって、前記アクセスポイント［１０５］は、一つ以上のサービスセット識別子に関連し、前記アクセスポイント［１０５］は、無線信号を送信するように構成された、少なくとも一つのＰＯＳ端末［１００］と、
前記一つ以上のアクセスポイント［１０５］から無線信号を受信し、
受信した前記無線信号に基づいて、前記一つ以上のアクセスポイント［１０５］に対応する一つ以上のアドバタイズサービスセット識別子を識別し、
前記一つ以上のアドバタイズサービスセット識別子に関連する受信した信号の信号強度情報を決定し、
ＵＥ識別子、前記一つ以上のアドバタイズサービスセット識別子及び前記一つ以上のアドバタイズサービスセット識別子に関連する前記信号強度情報を送信する、
ように構成された、ユーザ機器［１３０］と、
前記ユーザ機器［１３０］に接続された第１のサーバ装置［１１０］であって、
前記ＵＥ識別子、前記一つ以上のアドバタイズサービスセット識別子及び前記信号強度情報を前記ユーザ機器［１３０］から受信し、
受信した前記一つ以上のアドバタイズサービスセット識別子、前記ＵＥ識別子、前記信号強度情報及び第１のサーバ装置の識別子を送信する、
ように構成された、第１のサーバ装置［１１０］と、
前記第１のサーバ装置［１１０］及び前記少なくとも一つのＰＯＳ端末［１００］に接続された第２のサーバ装置［１２０］であって、
前記一つ以上のアドバタイズサービスセット識別子、前記ＵＥ識別子及び前記第１のサーバ装置の識別子を前記第１のサーバ装置［１１０］から受信し、
受信した前記一つ以上のアドバタイズサービスセット識別子、前記ＵＥ識別子及び前記第１のサーバ装置の識別子に基づいて、第１のリストを生成し、前記第１のリストは、一つ以上の有効なサービスセット識別子と、前記有効なサービスセット識別子の各々に対応する少なくとも一つのＰＯＳ端末識別子と、を備え、
前記第１のリストを前記第２のサーバ装置［１２０］から前記第１のサーバ装置［１１０］に送信する、
ように構成された、第２のサーバ装置［１２０］と、を備え、
前記第１のサーバ装置［１１０］は、
前記第１のリストに基づく第２のリストを生成し、前記第２のリストは、前記有効なサービスセット識別子の各々に対応する少なくとも一つのＰＯＳ端末識別子と、前記少なくとも一つのＰＯＳ端末識別子に対応する追加情報と、を備え、
前記第２のリストを前記ユーザ機器［１３０］に送信する、
ように更に構成され、
前記ユーザ機器［１３０］は、
前記第２のリストを表示し、前記第２のリストの前記少なくとも一つのＰＯＳ端末の識別子に対応する少なくとも一つのＰＯＳ端末［１００］がワイヤレス決済に利用でき、
ワイヤレス決済のための支払処理オプションの選択を表す入力を受信し、前記支払処理オプションは、表示された前記第２のリストから選択される、
ように更に構成された、システム［１００Ａ］。
【請求項５】
前記一つ以上のアクセスポイント［１０５］は、少なくとも一つの前記ユーザ機器［１３０］又は前記ＰＯＳ端末［１００］に近接している、請求項４に記載のシステム［１００Ａ］。
【請求項６】
前記追加情報は、販売者のロゴ、販売者名、店舗のアドレス、店舗位置、割引コード、少なくとも一つの支払処理オプション及び少なくとも一つの優先支払オプションのうちの一つ以上を有する、請求項４に記載のシステム［１００Ａ］。
【請求項７】
ＵＥ識別子、一つ以上のアドバタイズサービスセット識別子及び前記一つ以上のアドバタイズサービスセット識別子に関連する信号強度情報をユーザ機器［１３０］から受信するように構成された受信機［７０６］であって、前記一つ以上のアドバタイズサービスセット識別子は、無線信号が前記ユーザ機器［１３０］によって受信される一つ以上のアクセスポイント［１０５］に対応する、受信機［７０６］と、
前記受信機［７０６］に接続された送信機［７０８］であって、受信した前記一つ以上のアドバタイズサービスセット識別子、前記ＵＥ識別子及び第１のサーバ装置の識別子を第２のサーバ装置［１２０］に送信するように構成された、送信機［７０８］と、
を備え、
前記受信機［７０６］は、一つ以上の有効なサービスセット識別子と、前記信号強度情報と、前記有効なサービスセット識別子の各々に対応する少なくとも一つのＰＯＳ端末識別子と、を備える第１のリストを前記第２のサーバ装置［１２０］から受信するように更に構成され、
前記有効なサービスセット識別子の各々に対応する少なくとも一つのＰＯＳ端末識別子と、前記少なくとも一つのＰＯＳ端末識別子に対応する追加情報と、を備える第２のリストを生成するために前記第１のリストを処理するように構成されたプロセッサ［７０２］を備え、
前記送信機［７０８］は、前記第２のリストを前記ユーザ機器［１３０］に送信するように更に構成され、
前記第２のリストは、前記ユーザ機器［１３０］に表示され、前記第２のリストの前記少なくとも一つのＰＯＳ端末の識別子に対応する少なくとも一つのＰＯＳ端末がワイヤレス決済に利用でき、前記ユーザ機器［１３０］は、ワイヤレス決済のための支払処理オプションの選択を表す入力を受信し、前記支払処理オプションは、表示された前記第２のリストから選択される、第１のサーバ装置［１１０］。
【請求項８】
一つ以上のアドバタイズサービスセット識別子、ＵＥ識別子及び第１のサーバ装置の識別子を第１のサーバ装置［１１０］から受信するように構成された受信機［８０６］を備え、
前記一つ以上のアドバタイズサービスセット識別子及び前記ＵＥ識別子を、前記第１のサーバ装置［１１０］によってユーザ機器［１３０］から受信し、
前記一つ以上のアドバタイズサービスセット識別子は、前記ユーザ機器［１３０］によって無線信号を受信する一つ以上のアクセスポイント［１０５］に対応し、
前記受信機［８０６］に接続されたプロセッサ［８０２］であって、一つ以上の有効なサービスセット識別子と、前記有効なサービスセット識別子の各々に対応する少なくとも一つのＰＯＳ端末識別子と、を備える第１のリストを生成するために、受信した前記一つ以上のアドバタイズサービスセット識別子、前記ＵＥ識別子及び第１のサーバ装置の識別子を処理するように構成されたプロセッサ［８０２］と、
前記受信機［８０６］及び前記プロセッサ［８０２］に接続された送信機［８０８］であって、前記第１のリストを前記第１のサーバ装置［１１０］に送信するように構成された送信機［８０８］と、
を備え、
第２のリストを、前記第１のサーバ装置［１１０］によって、受信した前記第１のリストに基づいて生成し、前記第２のリストは、前記有効なサービスセット識別子の各々に対応する少なくとも一つのＰＯＳ端末識別子と、前記少なくとも一つのＰＯＳ端末識別子に対応する追加情報と、を備え、
前記第２のリストは、前記ユーザ機器［１３０］に表示され、前記第２のリストの前記少なくとも一つのＰＯＳ端末の識別子に対応する少なくとも一つのＰＯＳ端末がワイヤレス決済に利用でき、前記ユーザ機器［１３０］は、ワイヤレス決済のための支払処理オプションの選択を表す入力を受信し、前記支払処理オプションは、表示された前記第２のリストから選択される、第２のサーバ装置［１２０］。
【請求項９】
一つ以上のＰＯＳ端末［１００］に近接して配置された一つ以上のアクセスポイント［１０５］から信号を受信するように構成された送受信機［９０６］と、
受信した信号に基づいて前記一つ以上のアクセスポイント［１０５］に対応する一つ以上のアドバタイズサービスセット識別子を識別するとともに前記一つ以上のアドバタイズサービスセット識別子に関連する受信した信号の信号強度情報を決定するように構成されたプロセッサ［９０２］と、
を備え、
前記送受信機［９０６］は、ＵＥ識別子、前記一つ以上のアドバタイズサービスセット識別子及び決定した前記信号強度情報を第１のサーバ装置［１１０］に送信するように更に構成され、
前記第１のサーバ装置［１１０］は、前記一つ以上のアドバタイズサービスセット識別子、前記ＵＥ識別子及び第１のサーバ装置［１１０］の識別子を第２のサーバ装置［１２０］に送信し、
前記第２のサーバ装置［１２０］は、受信した前記一つ以上のアドバタイズサービスセット識別子、前記ＵＥ識別子及び前記第１のサーバ装置の識別子に基づいて、第１のリストを生成し、前記第１のリストは、一つ以上の有効なサービスセット識別子と、前記有効なサービスセット識別子の各々に対応する少なくとも一つのＰＯＳ端末識別子と、を備え、前記第２のサーバ装置［１２０］は、前記第１のリストを前記第１のサーバ装置［１１０］に送信し、
前記送受信機［９０６］は、前記第１のサーバ装置［１１０］から第２のリストを受信するように更に構成され、前記第２のリストは、前記有効なサービスセット識別子の各々に対応する少なくとも一つのＰＯＳ端末識別子と、前記少なくとも一つのＰＯＳ端末識別子［１００］に対応する追加情報と、を備え、
前記第２のリストを表示し、前記第２のリストの前記少なくとも一つのＰＯＳ端末の識別子に対応する少なくとも一つのＰＯＳ端末［１００］がワイヤレス決済に利用でき、
ワイヤレス決済のための支払処理オプションの選択を表す入力を受信し、前記支払処理オプションは、表示された前記第２のリストから選択される、
ように構成された表示装置［９１０］を備える、ユーザ機器［１３０］。
【発明の詳細な説明】
【技術分野】
【０００１】
本開示は、一般的には、無線ネットワークに関し、更に具体的には、デジタルウォレットアプリケーションを介したユーザ機器でのセキュアなワイヤレス決済のシステムに関する。
【背景技術】
【０００２】
以下の関連技術の説明は、開示の分野に関連する背景情報を提供することを意図する。このセクションは、本開示の様々な特徴に関連することがある技術の特定の態様を含むことがある。しかしながら、このセクションが本開示に関する読者の理解を高めるためにのみ用いられるとともに先行技術の承認として用いられないことを理解すべきである。
【０００３】
デジタルウォレットを含むデジタル決済アプリケーションは、店舗又は他の商業施設での決済のためにモバイルユーザの間でますます普及している。このような普及は、ユーザがデビット／クレジットカードの詳細の入力又は決済のための（一つ以上の）ネットバンキングサービスへのログインを必要としないために支払処理でデジタルウォレットアプリケーションによって提供される利便性のような理由によることがある。成長の他の理由は、世界へのデジタル接続を維持するために人々の数を指数関数的に増やすことによるスマートユーザ機器の使用である。現在、大抵の人々は、スマートモバイル機器のようなスマートユーザ機器をどこでも持ち運ぶ。
【０００４】
携帯電話は、エンドユーザがＷｉＦｉ（登録商標）、ＮＦＣ、ブルートゥース（登録商標）、Ｚｉｇｂｅｅ（登録商標）等の機能を備えた２Ｇ、３Ｇ又は４Ｇモバイルブロードバンドインターネット接続を用いることができるようにするスマート移動無線セルラー接続装置の一例である。そのようなユーザ機器は、パーソナルコンピュータシステムの機能とモバイル又はハンドヘルド端末での使用に役立つ他の機能とを組み合わせる高度なオペレーティングシステム（ａｄｖａｎｃｅｄ  ｏｐｅｒａｔｉｎｇ  ｓｙｓｔｅｍ）を備えている。近年、アンライセンスワイヤレススペクトル（ｕｎｌｉｃｅｎｓｅｄ  ｗｉｒｅｌｅｓｓ  ｓｐｅｃｔｒｕｍ）の中で、ＩＥＥＥ８０２．１１規格に基づくＷｉＦｉ（登録商標）技術は、驚異的な成長及び商業化を見た。セルラー機能をサポートするほとんど全てのＵＥ（ユーザ機器）は、ＷｉＦｉ（登録商標）ネットワークに接続するためにデフォルトによるＷｉＦｉ（登録商標）機能を有する。
【０００５】
さらに、売り場専用（ＰＯＳ）端末は、小売店でのカード決済を処理するために用いられる電子機器である。ＰＯＳは、顧客のクレジットカード又はデビットカードの情報を読み取り、顧客の銀行口座の資金が十分であるか否かを確認し、顧客の口座から販売者の口座（又はクレジットカードネットワークを用いた移動のための口座）に資金を移動し、さらに、取引を記録するとともにレシートを印刷する機能を有する。
【０００６】
販売者の売り場専用（ＰＯＳ）端末での支払処理がデジタルウォレットを介して便利になるとしても、デジタルウォレットアプリケーションにおけるＰＯＳ端末の識別は、大抵は手動処理であり、これによって、ユーザに不便を引き起こし、この手動処理は、ヒューマンエラーの影響を受けやすい。デジタルウォレットアプリケーションにおいてＰＯＳ端末を識別する従来の方法は、ＰＯＳ端末にリンクした携帯電話番号をユーザによって入力する必要がある、及び／又は、ＰＯＳ端末にリンクしたＱＲコード（登録商標）又はバーコードをスキャンする必要がある。
【発明の概要】
【発明が解決しようとする課題】
【０００７】
デジタルウォレットアプリケーションにおいて販売者端末を検出する既知の解決は、以下に基づく。
ａ）販売者によってホストされる一つ以上のＰＯＳ端末に対する識別子として携帯電話番号を手動で入力するのをユーザに促す。このプロセスは、顧客にとって不便であり、入力された携帯電話番号が必要なＰＯＳ端末にリンクした対応する携帯電話番号に正確に一致しない場合にはヒューマンエラーを被る。さらに、販売者は、言葉で又は適切な表示によって携帯電話番号を顧客に伝える必要がある。
ｂ）販売者によってホストされる一つ以上のＰＯＳ端末にリンクしたＱＲコード（登録商標）をスキャンするのをユーザに促す。ユーザがこのプロセスでキーボードを用いる必要がないとしても、販売者を識別するためにＱＲコード（登録商標）を正確にスキャンする必要があるために不便になる可能性があった。さらに、販売者は、顧客が容易にＱＲコード（登録商標）にアクセスできるようにするために適切な表示によってＱＲコード（登録商標）を顧客に伝える必要がある。
ｃ）ｉＢｅａｃｏｎ（登録商標）技術を用いること。しかしながら、そのようなプロセスは、ユーザ機器において少なくともブルートゥース（登録商標）４．０＋サポートを必要とし、販売者によって取得された後にＰＯＳ端末に取り付けられる専用のｉＢｅａｃｏｎ（登録商標）送信機を必要とする。明らかに、そのような方法及びシステムの使用は、費用対効果が低く、ユーザに不便をもたらす。
【０００８】
したがって、ユーザが販売者によって販売されたサービス／商品の支払のために決済アプリケーションを用いることを所望するときに販売場所の利用できるＰＯＳ端末を自動的に簡単かつスムーズに検出することを保証するシステム及び方法が必要である。
【課題を解決するための手段】
【０００９】
このセクションは、詳細な説明で後に更に説明される簡略化された形式で本開示の所定の目的及び態様を導入するために提供される。この要約は、主張された主題の主要な特徴又は範囲を特定することを意図するものではない。前のセクションで提供したような既知の解決に関連する少なくとも幾つかの問題を克服するために、本開示の目的は、ユーザが販売者によって販売されたサービス／商品の支払のためにデジタルウォレットアプリケーションを用いることを所望するときに販売場所の利用できるＰＯＳ端末をユーザ機器で自動的に簡単かつスムーズに検出することを保証するシステム及び方法を提供することである。本開示の他の目的は、利用できるＰＯＳ端末を識別するための手動の介入のないワイヤレス決済のシステム及び方法を提供することである。本開示の更に別の目的は、待ち時間なしで滑らかな決済サービスを受けることができるワイヤレス決済のシステム及び方法をユーザ及び販売者に提供することである。本開示の更に別の目的は、ＷｉＦｉ（登録商標）エコシステムで多量の決済を同時に処理する機能及び能力を提供することである。
【００１０】
本開示の第１の態様は、ワイヤレス決済の方法であって、ＵＥ識別子、一つ以上のアドバタイズサービスセット識別子及び一つ以上のアドバタイズサービスセット識別子に関連する信号強度情報をユーザ機器から第１のサーバ装置に送信することによって方法を開始する方法に関する。一つ以上のアドバタイズサービスセット識別子は、無線信号がユーザ機器によって受信される一つ以上のアクセスポイントに対応する。次に、受信したアドバタイズサービスセット識別子、ＵＥ識別子、信号強度情報及び第１のサーバ装置の識別子は、第１のサーバ装置から第２のサーバ装置に送信される。次に、第１のリストが第２のサーバ装置によって生成され、第１のリストは、受信した一つ以上のアドバタイズサービスセット識別子、ＵＥ識別子及び第１のサーバ装置の識別子に基づく。この第１のリストは、一つ以上の有効なサービスセット識別子と、有効なサービスセット識別子の各々に対応する少なくとも一つのＰＯＳ端末識別子と、を備える。その後、第１のリストは、第２のサーバ装置から第１のサーバ装置に送信され、第２のリストが第１のリストに基づいて生成される。この第２のリストは、有効なサービスセット識別子の各々に対応する少なくとも一つのＰＯＳ端末識別子と、少なくとも一つのＰＯＳ端末識別子に対応する追加情報と、を備える。次に、第２のリストは、第１のサーバ装置によってユーザ機器に送信され、第２のリストが表示される。第２のリストの少なくとも一つのＰＯＳ端末の識別子に対応する少なくとも一つのＰＯＳ端末がワイヤレス決済に利用できる。最後に、方法は、ワイヤレス決済のための支払処理オプションの選択を表す入力をユーザ機器で受信することであって、支払処理オプションは、表示された第２のリストから選択されることを含む。
【００１１】
本開示の他の態様は、ワイヤレス決済のシステムであって、一つ以上のアクセスポイントに接続された少なくとも一つのＰＯＳ端末であって、アクセスポイントは、一つ以上のサービスセット識別子に関連し、アクセスポイントは、無線信号を送信するように構成された、少なくとも一つのＰＯＳ端末を備えるシステムに関する。システムは、一つ以上のアクセスポイントから無線信号を受信し、受信した無線信号に基づいて、一つ以上のアクセスポイントに対応する一つ以上のアドバタイズサービスセット識別子を識別し、一つ以上のアドバタイズサービスセット識別子に関連する受信した信号の信号強度情報を決定し、ＵＥ識別子、一つ以上のアドバタイズサービスセット識別子及び一つ以上のアドバタイズサービスセット識別子に関連する信号強度情報を送信する、ように構成された、ユーザ機器を更に備える。システムは、ユーザ機器に接続された第１のサーバ装置であって、ＵＥ識別子、一つ以上のアドバタイズサービスセット識別子及び信号強度情報をユーザ機器から受信し、受信した一つ以上のアドバタイズサービスセット識別子、ＵＥ識別子及び第１のサーバ装置の識別子を送信する、ように構成された、第１のサーバ装置を更に備える。さらに、システムは、第１のサーバ装置及び少なくとも一つのＰＯＳ端末に接続された第２のサーバ装置であって、一つ以上のアドバタイズサービスセット識別子、ＵＥ識別子及び第１のサーバ装置の識別子を第１のサーバ装置から受信し、受信した一つ以上のアドバタイズサービスセット識別子、ＵＥ識別子、信号強度情報及び第１のサーバ装置の識別子に基づいて、第１のリストを生成する第２のサーバ装置も備える。この第１のリストは、一つ以上の有効なサービスセット識別子と、有効なサービスセット識別子の各々に対応する少なくとも一つのＰＯＳ端末識別子と、を備える。第２のサーバ装置は、第１のリストを第１のサーバ装置に送信し、第１のサーバ装置は、第１のリストに基づく第２のリストを生成し、第２のリストは、有効なサービスセット識別子の各々に対応する少なくとも一つのＰＯＳ端末識別子と、少なくとも一つのＰＯＳ端末識別子に対応する追加情報と、を備え、第２のリストをユーザ機器に送信する、ように更に構成される。ユーザ機器は、第２のリストを表示し、第２のリストの少なくとも一つのＰＯＳ端末の識別子に対応する少なくとも一つのＰＯＳ端末がワイヤレス決済に利用でき、ワイヤレス決済のための支払処理オプションの選択を表す入力を受信し、支払処理オプションは、表示された第２のリストから選択される、ように更に構成される。
【００１２】
本開示の他の態様は、ＵＥ識別子、一つ以上のアドバタイズサービスセット識別子及び一つ以上のアドバタイズサービスセット識別子に関連する信号強度情報をユーザ機器から受信するように構成された受信機であって、一つ以上のアドバタイズサービスセット識別子は、無線信号がユーザ機器によって受信される一つ以上のアクセスポイントに対応する、受信機を備える第１のサーバ装置に関する。第１のサーバ装置は、受信機に接続された送信機であって、受信した一つ以上のアドバタイズサービスセット識別子、ＵＥ識別子及び第１のサーバ装置の識別子を第２のサーバ装置に送信するように構成された、送信機を更に備える。受信機は、一つ以上の有効なサービスセット識別子と、信号強度情報と、有効なサービスセット識別子の各々に対応する少なくとも一つのＰＯＳ端末識別子と、を備える第１のリストを第２のサーバ装置から受信するように更に構成される。第１のサーバ装置は、有効なサービスセット識別子の各々に対応する少なくとも一つのＰＯＳ端末識別子と、少なくとも一つのＰＯＳ端末識別子に対応する追加情報と、を備える第２のリストを生成するために第１のリストを処理するように構成されたプロセッサを更に備える。第１のサーバ装置の送信機は、第２のリストをユーザ機器に送信し、第２のリストは、第２のリストの少なくとも一つのＰＯＳ端末の識別子に対応する少なくとも一つのＰＯＳ端末がワイヤレス決済に利用できるように表示される。さらに、ワイヤレス決済のための支払処理オプションの選択を表す入力をユーザ機器で受信し、支払処理オプションは、表示された第２のリストから選択される。
【００１３】
本開示の更に別の態様は、一つ以上のアドバタイズサービスセット識別子、ＵＥ識別子及び第１のサーバ装置の識別子を第１のサーバ装置から受信するように構成された受信機を備え、一つ以上のアドバタイズサービスセット識別子及びＵＥ識別子を、第１のサーバ装置によってユーザ機器から受信し、一つ以上のアドバタイズサービスセット識別子は、ユーザ機器によって無線信号を受信する一つ以上のアクセスポイントに対応する、第２のサーバ装置に関する。第２のサーバ装置は、受信機に接続されたプロセッサであって、一つ以上の有効なサービスセット識別子と、有効なサービスセット識別子の各々に対応する少なくとも一つのＰＯＳ端末識別子と、を備える第１のリストを生成するために、受信した一つ以上のアドバタイズサービスセット識別子、ＵＥ識別子及び第１のサーバ装置の識別子を処理するように構成されたプロセッサを更に備える。第２のサーバ装置は、受信機及びプロセッサに接続された送信機であって、第１のリストを第１のサーバ装置に送信するように構成された送信機も備え、第２のリストを、第１のサーバ装置によって、受信した第１のリストに基づいて生成する。この第２のリストは、有効なサービスセット識別子の各々に対応する少なくとも一つのＰＯＳ端末識別子と、少なくとも一つのＰＯＳ端末識別子に対応する追加情報と、を備え、ユーザ機器に表示される。第２のリストの少なくとも一つのＰＯＳ端末の識別子に対応する少なくとも一つのＰＯＳ端末がワイヤレス決済に利用でき、ユーザ機器は、ワイヤレス決済のための支払処理オプションの選択を表す入力を受信し、支払処理オプションは、表示された第２のリストから選択される。
【００１４】
本開示の更に別の態様は、一つ以上のＰＯＳ端末に近接して配置された一つ以上のアクセスポイントから信号を受信するように構成された送受信機を備えるユーザ機器に関する。ユーザ機器は、受信した信号に基づいて一つ以上のアクセスポイントに対応する一つ以上のアドバタイズサービスセット識別子を識別するとともに一つ以上のアドバタイズサービスセット識別子に関連する受信した信号の信号強度情報を決定するように構成されたプロセッサも備える。送受信機は、ＵＥ識別子、一つ以上のアドバタイズサービスセット識別子及び決定した信号強度情報を第１のサーバ装置に送信するように更に構成され、第１のサーバ装置は、ＵＥ識別子、一つ以上のアドバタイズサービスセット識別子及び決定した信号強度情報を第１のサーバ装置の識別子と共に第２のサーバ装置に送信する。第２のサーバ装置は、受信した一つ以上のアドバタイズサービスセット識別子、ＵＥ識別子及び第１のサーバ装置の識別子に基づいて、第１のリストを生成し、第１のリストは、一つ以上の有効なサービスセット識別子と、有効なサービスセット識別子の各々に対応する少なくとも一つのＰＯＳ端末識別子と、を備え、第２のサーバ装置は、第１のリストを第１のサーバ装置に送信する。ユーザ機器の送受信機は、第１のサーバ装置から第２のリストを受信するように更に構成され、第２のリストは、有効なサービスセット識別子の各々に対応する少なくとも一つのＰＯＳ端末識別子と、少なくとも一つのＰＯＳ端末識別子に対応する追加情報と、を備える。ユーザ機器は、第２のリストを表示し、第２のリストの少なくとも一つのＰＯＳ端末の識別子に対応する少なくとも一つのＰＯＳ端末がワイヤレス決済に利用でき、ワイヤレス決済のための支払処理オプションの選択を表す入力を受信し、支払処理オプションは、表示された第２のリストから選択される、ように構成されたグラフィカルユーザインタフェースも備える。
【００１５】
ここに組み込まれるとともに本開示の一部を構成する添付図面は、互いに異なる図面を通じて同様な参照番号が同一パーツを示す開示した方法及びシステムの例示的な実施の形態を示す。図面の構成要素は、必ずしも寸法通りではなく、本開示の原理を明確にすることに重点を置いている。一部の図面は、ブロック図を用いて構成要素を表すことがあり、各構成要素の内部回路を表さないことがある。そのような図面の開示がそのような構成要素を実現するために通常用いられる回路の電気的な構成要素の開示を含むことが当業者によって理解されるであろう。
【図面の簡単な説明】
【００１６】
【図１】本開示の例示的な実施の形態によるワイヤレス決済のシステム［１００Ａ］のアーキテクチャを示す。
【図２】本開示の例示的な実施の形態によるユーザ機器［１３０］、第１のサーバ装置［１１０］及び第２のサーバ装置［１２０］の間のやりとりを示すメッセージシークエンスを示す。
【図３】本開示の例示的な実施の形態によるワイヤレス決済の方法を示す例示的な方法の流れ図［３００］を示す。
【図４】本開示の例示的な実施の形態による第２のサーバ装置［１２０］によって生成される例示的な第１のリストを示す。
【図５】本開示の例示的な実施の形態による第１のサーバ装置［１１０］によって生成される例示的な第２のリストを示す。
【図６】本開示の例示的な実施の形態による利用できるＰＯＳ端末のリストを表示するユーザ機器［１３０］のグラフィカルユーザインタフェースの例示的な表示を示す。
【図７】本開示の例示的な実施の形態による第１のサーバ装置［１１０］のブロック図を示す。
【図８】本開示の例示的な実施の形態による第２のサーバ装置［１２０］のブロック図を示す。
【図９】本開示の例示的な実施の形態によるユーザ機器［１３０］のブロック図を示す。
【発明を実施するための形態】
【００１７】
上述したことは、開示の以下の更に詳細な説明から更に明らかになる。
【００１８】
以下の説明では、説明のために、本発明の実施の形態の完全な理解を提供するために様々な特定の詳細を示す。しかしながら、本発明の実施の形態をこれらの特定の詳細なしで実施してもよいことは明らかである。以下で説明する複数の特徴をそれぞれ互いに独立して又は他の特徴との任意の組合せで用いることができる。個別の特徴は、上述した問題のいずれにも対処しなくてもよい又は上述した問題の一つしか対処しなくてもよい。上述した問題の一部は、ここで説明する特徴のいずれによっても完全に対処されないことがある。本発明の例示的な実施の形態を、互いに異なる図面を通じて同様な参照番号が同一パーツを示すように以下で説明する。
【００１９】
本発明は、ユーザがユーザ機器によって利用できるサービス／商品の支払を行うためにユーザ機器を用いることを所望するときに販売者の場所の利用できる一つ以上の売り場専用（ＰＯＳ）端末の簡単かつ円滑な検出を自動的に促進する方法及びシステムを提供する。本発明は、ユーザ機器が利用できるＷｉＦｉ（登録商標）ネットワークのＰＯＳ端末を検出するスケーラブルであり、使用が簡単であり、シームレスであり、かつ、効率的な方法を提供する。検出された利用できるＰＯＳ端末に対応する情報は、ユーザが適切なＰＯＳ端末を容易に選択することができるとともに更なる支払処理を開始できるようにするためにユーザ機器に表示される。ＰＯＳ端末の自動的な検出は、デジタルウォレットに便利な側面を追加し、これによって、販売者の場所での支払を行う際のユーザに対するデジタルウォレットの選択をますます促進する。
【００２０】
ここで用いられるような「ユーザ装置」又は「ユーザ機器」は、任意の電気的であり、電子的であり、電磁気的であり、かつ、演算を行う装置を示す。ユーザ機器は、少なくとも、プロセッサと、ディスプレイと、メモリと、ハードキーパッド及び／又はソフトキーパッドのような入力手段と、を有してもよい。ユーザデバイスは、携帯電話、タブレット、スマートフォン、ラップトップ、ウェアラブル装置、ファブレット、携帯情報端末及び当業者に明らかな任意のそのような装置を含むが、それに限定されない。用語「ユーザデバイス」及び「ユーザ機器」を、明細書全体に亘って同じ意味で用いた。
【００２１】
ここで用いられるように、「ＷｉＦｉ（登録商標）ネットワーク」は、ＷｉＦｉ（登録商標）アクセスポイント／ルーティング装置によって支援され、ＷｉＦｉ（登録商標）アクセスポイント／ルーティング装置は、光ファイバケーブル／ＦＴＴｘ（ｆｉｂｅｒ  ｔｏ  ｔｈｅ  Ｘ）とのローカルエリアネットワーク（ＬＡＮ）接続、アンライセンスバンド無線（ＵＢＲ）、マイクロ波、衛星、ポイントツーマルチポイント／ピアツーピア無線リンク、ＷｉＦｉ（登録商標）、ミリ波マルチモードワイヤレスバックホールのように）高速バックホール有線接続を介してコアネットワークに接続されるとともに公衆無線ネットワークと専用無線ネットワークのうちの少なくとも一つを提供する装置を意味する。さらに、一つ以上のアクセスポイントは、８０２．１１ａ／ｂ／ｇ／ｎ／ａｃ／ａｈのような通常の無線技術を用いて動作してもよい。そのような一つ以上のアクセスポイントは、ルータ、カスタマ構内設備（ＣＰＥ）、光ネットワーク端末、モデム、クラウド端末及び当業者に明らかなそのような任意の装置を含むが、それに限定されない。
【００２２】
ここで用いられるように、「処理装置」又は「プロセッサ」は、一つ以上のプロセッサを含み、プロセッサは、命令を処理するあらゆる論理回路を意味する。プロセッサは、汎用プロセッサ、専用プロセッサ、通常のプロセッサ、デジタル信号プロセッサ、複数のマイクロプロセッサ、ＤＳＰコアに関連する一つ以上のマイクロプロセッサ、マイクロコントローラ、特定用途向け集積回路、フィールドプログラマブルゲートアレイ、他の任意のタイプの集積回路等を意味する。プロセッサは、信号符号化データ処理、入力／出力処理及び／又は本開示によるシステムの動作を可能にする他の任意の機能を実行してもよい。更に具体的には、プロセッサ又は処理装置は、ハードウェアプロセッサである。
【００２３】
ここで用いられるように、「接続」、「構成」、「結合」並びに「接続する」、「接続した」、「構成した」及び「結合した」のような類似の用語は、当業者に明らかなように、（有線／無線接続のような）物理接続、（半導体装置の論理ゲートを通じるような）論理接続、他の適切な接続又はそのような接続の組合せを含んでもよい。
【００２４】
ここで用いられるように、「送出」、「転送」、「送信」並びに「送り出す」、「送り出した」、「転送する」、「送信する」、「転送した」、「送信した」等のような類似の用語は、データ又は情報をある装置又は構成要素から他の装置又は構成要素に送出すること又は移送することを含み、コンテンツが送出、転送又は送信の前又は後に変形されてもされなくてもよい。
【００２５】
ここで用いられるように、「デジタルウォレットアプリケーション」は、ユーザ機器において実行又はインストールされるときに電子取引又は決済をできるようにする電子サービス又はアプリケーションを意味する。電子取引は、支払の送受信を含んでもよい。デジタルウォレットアプリケーションによって、ユーザは、ユーザの銀行口座にリンクすることができる個別のプロファイル又はアカウントを作成することができる。
【００２６】
ここで用いられるように、「第１のサーバ装置」は、デジタルウォレットアプリケーションのサービスを管理するための専用の集中型リソース又はデバイスを意味する。ここで用いられるように、「第２のサーバ装置」は、特定の販売者のＰＯＳ端末を管理するための専用の集中型リソース又はデバイスを意味する。
【００２７】
ここで用いられるように、「ＰＯＳ端末」は、販売者の店舗での電子決済を処理するために用いられる電子装置を意味する。ＰＯＳは、顧客のクレジットカード又はデビットカードの情報を読み出し、顧客の銀行口座の資金が十分であるか否かをチェックし、資金を顧客の銀行口座から販売者の口座に転送し（又は少なくともクレジットカードネットワークを用いた転送を構成し）、かつ、取引を記録するとともにレシートを印刷する機能を有する。
【００２８】
図１を参照すると、ワイヤレス決済を行うシステム［１００Ａ］の例示的なアーキテクチャが、本発明の例示的な実施の形態に従って開示される。システム［１００Ａ］は、売り場専用（ＰＯＳ）端末［１００］と、アクセスポイント［１０５］と、を有し、アクセスポイント［１０５］は、ＰＯＳ端末［１００］に近接する。一実施の形態において、アクセスポイント［１０５］は、ＰＯＳ端末［１００］と同一の敷地内に配置されてもよい。他の実施の形態において、アクセスポイント［１０５］は、ＰＯＳ端末［１００］から所定の半径内に配置されてもよい。ＰＯＳ端末［１００］は、第２のサーバ装置［１２０］に接続されてもよい。
【００２９】
システム［１００Ａ］は、第１のサーバ装置［１１０］に通信可能に結合又は接続されたユーザ機器［１３０］を更に有する。一実施の形態において、ユーザ機器［１３０］は、５Ｇネットワーク、ロングタームエボリューション（ＬＥＴ）ネットワーク及びジーエスエム（ＧＳＭ（登録商標））ネットワークを含むがそれに限定されない任意のセルラーネットワーク又は無線ネットワークを介して第１のサーバ装置［１１０］に接続してもよい。第１のサーバ装置［１１０］は、有線又は無線ネットワークを介して第２のサーバ装置［１２０］に通信可能に結合／接続される。ユーザが販売者の場所での商品又はサービスの支払を行うためにユーザ機器［１３０］を用いることを所望する場合、ユーザ機器［１３０］は、販売者に支払を行うようにユーザによって用いることができる利用できるＰＯＳ端末を示すために第１のサーバ装置［１１０］と通信を行う。利用できるＰＯＳ端末をユーザ機器［１３０］によって示すことができるようにするために、第１のサーバ装置［１１０］は、ユーザ機器［１３０］のユーザによって用いることができる利用できるＰＯＳ端末を決定するために第２のサーバ装置［１２０］と通信を行う。
【００３０】
更に具体的には、アクセスポイント［１０５］は、一つ以上のサービスセット識別子に関連付けられる。本発明は、各アクセスポイント［１０５］が一意のサービスセット識別子に関連付けられることを包含する。一実施の形態において、サービスセット識別子は、基本サービスセット識別子（ＢＳＳＩＤ）である。ＢＳＳＩＤは、アクセスポイント［１０５］のＭＡＣアドレスと同一であってもよい又はアドホックＷｉＦｉ（登録商標）ネットワークの場合におけるランダムに生成された識別子であってもよい。アクセスポイント［１０５］は、無線信号を送信するように構成され、信号は、対応するアクセスポイント［１０５］のサービスセット識別子を有してもよい。
【００３１】
ユーザ機器［１３０］は、一つ以上のアクセスポイント［１０５］から信号を受信し、受信した無線信号に基づいて、一つ以上のアクセスポイント［１０５］に対応する一つ以上のアドバタイズサービスセット識別子を識別するように構成される。したがって、ユーザ機器［１３０］は、ＰＯＳ端末［１００］及びユーザ機器［１３０］に近接するアクセスポイントを識別することができる。ユーザ機器［１３０］は、一つ以上のアドバタイズサービスセット識別子に関連する受信した信号の信号強度情報を決定するように更に構成される。ユーザ機器［１３０］は、ＵＥ識別子、一つ以上のアドバタイズサービスセット識別子及び一つ以上のアドバタイズサービスセット識別子に関連する信号強度情報を送信するようにも構成される。ＵＥ識別子は、ユーザ機器［１３０］の一意の識別子である。
【００３２】
第１のサーバ装置［１１０］は、ＵＥ識別子、一つ以上のアドバタイズサービスセット識別子及び信号強度情報をユーザ機器［１３０］から受信し、受信した一つ以上のアドバタイズサービスセット識別子、ＵＥ識別子及び信号強度情報を第１のサーバ装置の識別子と共に第２のサーバ装置［１２０］に送信するように構成される。第１のサーバ装置の識別子は、第１のサーバ装置［１１０］の一意の識別子である。
【００３３】
第２のサーバ装置［１２０］は、一つ以上のアドバタイズサービスセット識別子、ＵＥ識別子及び第１のサーバ装置の識別子を第１のサーバ装置［１１０］から受信し、受信した一つ以上のアドバタイズサービスセット識別子、ＵＥ識別子及び第１のサーバ装置の識別子に基づいて、第１のリストを生成するように構成される。第２のサーバ装置［１２０］は、ＰＯＳ端末識別子及び対応するサービスセット識別子をＰＯＳ端末［１００］から受信するようにも構成される。第１のリストは、一つ以上の有効なサービスセット識別子と、有効なサービスセット識別子の各々に対応する少なくとも一つのＰＯＳ端末識別子と、を備える。有効なサービスセット識別子は、有効なＰＯＳ端末が存在するサービスセット識別子である。したがって、受信したアドバタイズサービスセット識別子の各々に対して、第２のサーバ装置［１２０］は、サービスセット識別子に対する有効なＰＯＳ端末が存在するか否かをチェックする。特定のサービスセット識別子に対する有効なＰＯＳ端末が存在する場合、そのような識別子は、有効なサービスセット識別子としてマークされ、第１のリストに含まれる。それに対し、特定のサービスセット識別子に対する有効なＰＯＳ端末が存在しない場合、そのようなサービスセット識別子は、除去又は廃棄され、第１のリストに含まれない。第２のサーバ装置［１２０］は、第１のリストを第１のサーバ装置［１１０］に送信するように構成される。
【００３４】
第１のサーバ装置［１１０］は、第１のリストを第２のサーバ装置［１２０］から受信し、第１のリストに基づく第２のリストを生成するように構成され、第２のリストは、有効なサービスセット識別子の各々に対応する少なくとも一つのＰＯＳ端末識別子と、少なくとも一つのＰＯＳ端末識別子に対応する追加情報と、を備える。追加情報は、販売者のロゴ、販売者名、店舗のアドレス、店舗位置、割引コード、少なくとも一つの支払処理オプション及び少なくとも一つの優先支払オプションのうちの一つ以上を有する。第１のサーバ装置［１１０］は、第２のリストをユーザ機器［１３０］に送信するように更に構成される。
【００３５】
ユーザ機器［１３０］は、第２のリストを表示し、第２のリストの少なくとも一つのＰＯＳ端末の識別子に対応する少なくとも一つのＰＯＳ端末がワイヤレス決済に利用でき、ワイヤレス決済のための支払処理オプションの選択を表す入力を受信し、支払処理オプションは、表示された第２のリストから選択されるように構成される。
【００３６】
図１を参照すると、限られた数のユーザ機器［１３０］、ＰＯＳ端末［１００］、アクセスポイント［１０５］、第１のサーバ装置［１１０］及び第２のサーバ装置［１２０］を示すが、本発明が複数のそのような装置の使用を包含することが当業者によって理解される。
【００３７】
図２を参照すると、ユーザ機器［１３０］、第１のサーバ装置［１１０］及び第２のサーバ装置［１２０］の間のやりとりを示すメッセージシークエンスを示す。シークエンス２０２において、一つ以上のユーザ入力をユーザ機器［１３０］においてユーザから受信する。次に、シークエンス２０４において、ユーザ機器［１３０］は、ＵＥ識別子、ユーザ機器［１３０］に近接するアクセスポイントに対応するサービスセット識別子及びサービスセット識別子に関連する信号強度情報を送信する。シークエンス２０６において、第１のサーバ装置［１１０］は、受信したサービスセット識別子、ＵＥ識別子、信号強度情報及び第１のサーバ装置の識別子を第２のサーバ装置［１２０］に送信する。次に、２０７において、ＰＯＳ端末［１００］は、ＰＯＳ端末識別子及び対応するサービスセット識別子を第２のサーバ装置［１２０］に供給する。その後、第２のサーバ装置［１２０］は、サービスセット識別子の各々に対応する有効なＰＯＳ端末識別子を識別するためにデータベースの検索動作を実行する。次に、シークエンス２０８において、第２のサーバ装置［１２０］は、第１のリストを第１のサーバ装置［１１０］に送信し、第１のサーバ装置［１１０］は、第２のリストを生成するために第１のリストを処理し、第２のリストは、少なくとも一つの有効なＰＯＳ端末識別子及び少なくとも一つの有効なＰＯＳ端末識別子に対応する追加情報を備える。シーケンス２１０において、第１のサーバ装置［１１０］は、第２のリストをユーザ機器［１３０］に送信し、第２のリストがユーザに対して表示される。
【００３８】
図３は、本開示の例示的な実施の形態によるワイヤレス決済の方法を示す例示的な方法の流れ図［３００］を示す。方法は、ＰＯＳ端末［１００］の一つにおいて、ユーザにより利用される商品及びサービスに対するデジタルウォレットアプリケーションを用いてユーザが支払を行うことを決定したときに開始する。一実施の形態において、ユーザは、ユーザ機器［１３０］で実行されるデジタルウォレットアプリケーションを介して支払のオプションを選択してもよい。デジタルウォレットアプリケーションがユーザによって選択されると、デジタルウォレットアプリケーションの選択は、ユーザ機器［１３０］によりユーザ入力として受信される。他の実施の形態において、ユーザ入力は、音声コマンド、ユーザ機器［１３０］におけるジェスチャー制御を介して受信した入力及びユーザ機器［１３０］のＩ／Ｏインタフェースを介して受信したタイプコマンドを意味してもよいが、それに限定されない。例えば、ユーザがユーザ機器［１３０］においてデジタルウォレットアプリケーションをオープンにし、ＰＯＳ端末での支払のオプションを選択することによって取引要求を開始し、そのような選択を、ユーザ入力とみなすことができる。他の例において、ユーザがユーザ機器［１３０］においてデジタルウォレットアプリケーションをオープンにしたときに、そのようなａｐｐオープン要求／動作をユーザ入力とみなすことができる。
【００３９】
ユーザ入力をユーザ機器［１３０］によりユーザから受信すると、ユーザ機器［１３０］は、ＰＯＳ端末［１００］又はユーザ機器［１３０］に近接して配置されたアクセスポイント［１０５］からの無線信号の受信を開始する。一実施の形態において、ユーザからのユーザ入力に関係なく、一つ以上のアクセスポイントからの信号を、受動的にユーザ機器［１３０］から継続的に受信してもよい。ユーザ機器［１３０］は、アクセスポイント［１０５］から受信した信号の信号強度情報も取得する。さらに、受信した信号に基づいて、ユーザ機器［１３０］は、アクセスポイント［１０５］の各々のアドバタイズサービスセット識別子を判別する。一実施の形態において、アドバタイズサービスセット識別子の各々は、８０２．１１無線規格に従う基本サービスセット識別子（ＢＳＳＩＤ）を意味する。一実施の形態において、ユーザ機器［１３０］は、２．４ＧＨｚ帯域と５ＧＨｚ帯域のいずれか一方又は両方の多くのチャネルにおいてアクセスポイント［１０５］から信号を受信してもよい。
【００４０】
その後、方法は、ステップ３０２に進み、ＵＥ識別子、一つ以上のアドバタイズサービスセット識別子及び一つ以上のアドバタイズサービスセット識別子に関連する信号強度情報をユーザ機器［１３０］から第１のサーバ装置［１１０］に送信する。一実施の形態において、ＵＥ識別子は、ユーザ機器［１３０］に割り当てられた一意の識別番号を意味する。他の実施の形態において、ＵＥ識別子は、ユーザ機器［１３０］で実行されるデジタルウォレットアプリケーションによって生成される一意の識別番号を意味してもよい。
【００４１】
次に、第１のサーバ装置［１１０］は、アクセスポイント［１０５］から受信した信号の送信された信号強度情報、アクセスポイント［１０５］の各々のアドバタイズサービスセット識別子及びユーザ機器［１３０］のＵＥ識別子を受信する。ステップ３０４において、第１のサーバ装置［１１０］は、アクセスポイント［１０５］の各々の受信したサービスセット識別子、ＵＥ識別子、信号強度情報及び第１のサーバ装置の識別子を第２のサーバ装置［１２０］に更に送信する。一実施の形態において、第１のサーバ装置［１１０］及び第２のサーバ装置［１２０］は、無線接続を介して互いに通信を行ってもよい。他の実施の形態において、第１のサーバ装置［１１０］及び第２のサーバ装置［１２０］は、有線接続を介して互いに通信を行ってもよい。
【００４２】
第２のサーバ装置［１２０］は、アクセスポイント［１０５］の各々のアドバタイズサービスセット識別子、ＵＥ識別子、信号強度情報及び第１のサーバ装置の識別子を第１のサーバ装置［１１０］から受信する。また、第２のサーバ装置［１２０］は、ＰＯＳ端末識別子及びサービスセット識別子をＰＯＳ端末［１００］から受信する。受信したデータに基づいて、第２のサーバ装置［１２０］は、ステップ３０６において、第１のリストを生成する。第１のリストは、一つ以上の有効なサービスセット識別子と、有効なサービスセット識別子の各々に対応する少なくとも一つのＰＯＳ端末識別子と、を備える。第１のリストを生成することは、サービスセット識別子の各々にマッピングされる有効なＰＯＳ端末に対応する販売者のＰＯＳ端末識別子を判別するために、受信したサービスセット識別子の各々についてのデータベースの検索動作を実行することを有する。特定のサービスセット識別子に対する有効なＰＯＳ端末が存在する場合、そのようなサービスセット識別子及び対応するＰＯＳ端末識別子が第１のリストに含まれる。特定のサービスセット識別子に際する有効なＰＯＳ端末が存在しない場合、そのようなサービスセット識別子は第１のリストから除外される。端末識別子が第１のリストにマッピングされたＰＯＳ端末は、ユーザ機器［１３０］によって処理される支払に利用できるＰＯＳ端末である。第１のリストの詳細を、図４を参照しながらその後の段落で説明する。
【００４３】
本発明は、アドバタイズサービスセット識別子に関連した信号強度情報に基づいて第１のリストをソートすることを包含し、ソートされた第１のリストは、リストのトップの最高信号強度を有するアドバタイズサービスセット識別子を含む。一実施の形態において、第１のリストのソートは、第１のリストが生成された後に生じる。他の実施の形態において、受信したサービスセット識別子は、先ず、信号強度情報に基づいてソートされ、その後、第１のリストを生成する。本実施の形態において、信号強度情報が所定のしきい値より下であるサービスセット識別子を除去してもよく、そのようなサービスセット識別子についてのＰＯＳ端末識別子の検索を実行しないようにしてもよい。
【００４４】
ステップ３０８において、第１のリスト又はソートされた第１のリストを、第２のサーバ装置［１２０］から第１のサーバ装置［１１０］に送信する。第１のサーバ装置［１１０］は、第２のサーバ装置［１２０］から第１のリストを受信する。次に、ステップ３１０において、第１のサーバ装置は、第１のリストに基づいて第２のリストを生成する。第２のリストは、有効なサービスセット識別子の各々に対応する少なくとも一つのＰＯＳ端末識別子と、少なくとも一つのＰＯＳ端末識別子に対応する追加情報と、を備える。第２のリストを生成することは、第１のリストに含まれるＰＯＳ端末識別子の各々に関連する追加情報を検索するためのデータベースの検索動作を実行することを有する。識別子の各々に対する検索された追加情報は、第２のリストに含まれる。一つの例示的な実施の形態において、検索された追加情報は、販売者名、ＰＯＳ端末名、販売者のロゴ、店舗のアドレス、店舗位置、の支払処理オプション、優先支払オプション及び後払い処理オプションを含むがそれに限定されない。
【００４５】
本発明は、第１のリストの有効なサービスセット識別子の信号強度情報に基づいて第２のリストをソートすることを包含し、有効なサービスセット識別子は、リストのトップの最高信号強度を有する。一実施の形態において、第２のリストをソートすることは、第２のリストを生成した後に生じる。他の実施の形態において、第１のサーバ装置［１１０］で受信した有効なサービスセット識別子は、先ず、信号強度情報に基づいてソートされ、その後、第２のリストを生成する。本実施の形態において、信号強度情報が所定のしきい値より下の有効なサービスセット識別子を除去してもよく、そのようなサービスセット識別子についての追加情報の検索を実行しなくてもよい。
【００４６】
次に、ステップ３１２において、第２のリスト又はソートされた第２のリストを、第１のサーバ装置［１１０］によってユーザ機器［１３０］に送信する。ユーザ機器［１３０］は、第２のリストを第１のサーバ装置［１１０］から受信する。次に、ステップ３１４において、ユーザ機器［１３０］は、第２のリストを表示する。第２のリストに含まれるＰＯＳ端末の識別子に対応するＰＯＳ端末は、ユーザ機器［１３０］におけるデジタルウォレットアプリケーションを介したユーザのワイヤレス決済に利用できる。一つの例示的な実施の形態において、ユーザ機器［１３０］は、第２のリストをユーザ機器［１３０］のディスプレイに表示してもよい。
【００４７】
次に、ステップ３１６において、ワイヤレス決済のための支払処理オプションの選択を表す入力をユーザ機器［１３０］で受信する。入力を、ユーザ機器［１３０］における第２のリストの表示に応じたユーザからユーザ機器［１３０］の一つ以上の入力手段を介して受信する。支払処理オプションの選択は、例えば、特定のＰＯＳ端末識別子をタップすることによるユーザ機器に表示されたＰＯＳ端末識別子の一つのユーザ選択を有する。支払処理オプションの選択の入力は、第２のリストに表示された利用できるＰＯＳ端末の一つを選択するためのユーザの選択を表す。
【００４８】
支払処理オプションの入力を受信すると、例示的な方法３００を終了し、支払は、任意の既知の支払処理オプションに従って、デジタルウォレットアプリケーション、第１のサーバ装置及び第２のサーバ装置を用いて処理される。本発明は、優先支払オプションの選択を表す入力をユーザ機器［１３０］で受信することを包含し、優先支払オプションは、第２のリストに表示される他の利用できるＰＯＳ端末を通じた特定のＰＯＳ端末を選択するためのユーザの優先傾向を表す。例えば、ユーザは、特定のＰＯＳ端末を、支払を行うためのお気に入りのＰＯＳ端末としてマークしてもよい。さらに、本発明は、ユーザによる利用できる割引の選択を表す入力をユーザ機器［１３０］で受信することを包含する。例えば、ユーザは、ユーザがそのような割引を利用することを所望することを表すために第２のリストに表示された割引コードをクリックしてもよい。
【００４９】
本開示の例示的な実施の形態によるワイヤレス決済の方法を、図３で一つのユーザ機器［１３０］に関連して説明したが、本発明が複数のユーザ機器の同時のワイヤレス決済の方法を包含することは、当業者によって理解される。
【００５０】
図４は、本開示の例示的な実施の形態による第２のサーバ装置［１２０］によって生成される例示的な第１のリストを示す。図４に示すように、第１のリストは、少なくとも第２のサーバ装置［１２０］によって決定される有効なサービスセット識別子及び有効なサービスセット識別子の対応するＰＯＳ端末識別子を備える。図示したように、ＢＳＳＩＤ１、ＢＳＳＩＤ２及びＢＳＳＩＤ３は、有効なサービスセット識別子である、すなわち、有効なＰＯＳ端末が存在する識別子である。ＰＯＳ１、ＰＯＳ２及びＰＯＳ３は、有効なサービスセット識別子ＢＳＳＩＤ１、ＢＳＳＩＤ２及びＢＳＳＩＤ３に対応する一つ以上のＰＯＳ端末１００のＰＯＳ端末識別子である。ＰＯＳ端末識別子ＰＯＳ１は、ＢＳＳＩＤ１についての有効なＰＯＳ端末の識別子である。同様に、ＰＯＳ端末識別子ＰＯＳ２は、ＢＳＳＩＤ２についての有効なＰＯＳ端末の識別子であり、ＰＯＳ端末識別子ＰＯＳ３は、ＢＳＳＩＤ３についての有効なＰＯＳ端末の識別子である。上述したように、本発明は、サービスセット識別子の信号強度情報に基づいて第１のリストをソートすることを包含する。例えば、図４に示す第１のリストを、最高信号強度を有するＢＳＳＩＤがトップに含まれるようにソートしてもよい。限られた数の有効なサービスセット識別子及びＰＯＳ端末識別子のみを図４に示すが、図４の参照は例示であるとともに本発明の範囲を逸脱することなく任意の数の有効なサービスセット識別子及びＰＯＳ端末識別子を第１のリストに含めてもよいことが当業者によって理解される。
【００５１】
図５は、本開示の例示的な実施の形態による第１のサーバ装置［１１０］によって生成される例示的な第２のリストを示す。図５に示すように、第２のリストは、ＰＯＳ端末識別子ＰＯＳ１及びＰＯＳ２並びにＰＯＳ端末識別子の各々についての追加情報を備える。例えば、図５に示すように、ＰＯＳ１の追加情報は、販売者名ａａｃ、ＰＯＳ端末名ｂｂｂ、販売者のロゴｃｃｃ、店舗のアドレスｄｄｄ、店舗位置ｅｅｅ、割引コードｙｙｙ、支払処理オプションｆｆｆ、優先支払オプションｇｇｇ及び後払い処理オプションｈｈｈを有する。限られた数のＰＯＳ端末識別子及び追加情報を図５に示すが、図５の参照は例示であるとともに本発明の範囲を逸脱することなく任意の数のＰＯＳ端末識別子及び任意の数の追加情報を第２のリストに含めてもよいことが当業者によって理解される。
【００５２】
図６は、本開示の例示的な実施の形態による利用できるＰＯＳ端末のリストを表示するユーザ機器［１３０］のグラフィカルユーザインタフェースの例示的な表示を示す。図６に示すように、ユーザ機器［１３０］は、第１のサーバ装置［１１０］から受信した第２のリストを表示するように構成されたディスプレイ６０２を有する。本発明は、ユーザ機器［１３０］にインストールされたデジタルウォレットアプリケーションのグラフィカルユーザインタフェース内に第２のリストを表示することを包含する。図６に示すように、表示された第２のリストは、種々のＰＯＳ端末名及び対応する追加情報［６０４，６０６，６０８，６１０］を有する。本発明は、第２のリストのＰＯＳ端末識別子の各々についての「割引コード」を表示することも包含する。「割引コード」は、購入総額の割引又は個別の製品／サービスの割引を有することができる。限られた数のＰＯＳ端末及び追加情報を図６に示すが、図６の参照は例示であるとともに本発明の範囲を逸脱することなく任意の数のＰＯＳ端末及び任意の数の追加情報をユーザ機器［１３０］に表示してもよいことが当業者によって理解される。
【００５３】
図７を参照すると、第１のサーバ装置［１１０］のブロック図を開示する。図示したように、第１のサーバ装置［１１０］は、プロセッサ［７０２］のような一つ以上のプロセッサ、少なくとも一つのメモリ［７０４］、受信機［７０６］及び送信機［７０８］を有してもよい。プロセッサ［７０２］は、ユーザ機器［１３０］から信号を受信するとともに第２のサーバ装置［１２０］から信号を受信するために受信機［７０６］と通信可能に結合してもよい。受信機［７０６］は、一つ以上のサービスセット識別子、サービスセット識別子に関連する信号強度情報及びＵＥ識別子をユーザ機器［１３０］から受信するように構成される。受信機［７０６］は、一つ以上の有効なサービスセット識別子と、信号強度情報と、有効なサービスセット識別子の各々に対応する少なくとも一つのＰＯＳ端末識別子と、を備える第１のリストを第２のサーバ装置［１２０］から受信するようにも構成される。
【００５４】
送信機［７０８］は、一つ以上のサービスセット識別子、サービスセット識別子に関連する信号強度情報及びＵＥ識別子を第２のサーバ装置［１２０］に送信するように構成される。
【００５５】
プロセッサ［７０２］は、第２のサーバ装置から受信した第１のリストに基づいて第２のリストを生成するように構成される。第１のリストの生成は、図３を参照しながら上の段落で詳しく説明され、冗長を回避するためにここで繰り返さない。プロセッサ［７０２］は、メモリ［７０４］と通信を行い、メモリ［７０４］は、プロセッサ［７０２］によって実行される特定のタスクを実行するルーチン、プログラム、オブジェクト、コンポーネント、データ構造等のようなプログラムモジュールを有する。メモリ［７０４］は、ユーザ機器［１３０］から受信した一つ以上のサービスセット識別子、サービスセット識別子に関連する信号強度情報及びＵＥ識別子を格納するようにも構成される。メモリは、プロセッサ［７０２］により生成された第２のリスト及び第２のサーバ装置［１２０］から受信した第１のリストを格納するようにも構成される。メモリ［７０４］は、揮発性メモリ、不揮発性メモリ、リモートストレージ、クラウドストレージ、高速ランダムアクセスメモリ及び／又は一つ以上の磁気ディスク記憶装置、一つ以上の光記憶装置及び／又はフラッシュメモリ（例えば、ＮＡＮＤ，ＮＯＲ）又はその組合せのような不揮発性メモリを含むが、それに限定されない。
【００５６】
図８を参照すると、第２のサーバ装置［１２０］のブロック図を開示する。図示したように、第２のサーバ装置［１１０］は、プロセッサ［８０２］のような一つ以上のプロセッサ、少なくとも一つのメモリ［８０４］、受信機［８０６］及び送信機［８０８］を有してもよい。プロセッサ［８０２］は、第１のサーバ装置［１１０］から信号を受信するために受信機［８０６］と通信可能に結合してもよい。受信機［８０６］は、一つ以上のサービスセット識別子、ＵＥ識別子、サービスセット識別子の信号強度情報及び第１のサーバ装置の識別子を第１のサーバ装置［１１０］から受信するように構成される。プロセッサ［８０２］は、受信したサービスセット識別子、ＵＥ識別子、サービスセット識別子の信号強度情報及び第１のサーバ装置の識別子に基づいて第１のリストを生成するように構成される。プロセッサ［８０２］は、メモリ［８０４］と通信を行い、メモリ［８０４］は、プロセッサ［８０２］によって実行される特定のタスクを実行するルーチン、プログラム、オブジェクト、コンポーネント、データ構造等のようなプログラムモジュールを有する。メモリ［８０４］は、第１のサーバ装置［１１０］から受信した一つ以上のサービスセット識別子、ＵＥ識別子、サービスセット識別子の信号強度情報及び第１のサーバ装置の識別子を格納するようにも構成される。メモリは、プロセッサ［８０２］により生成された第１のリストを格納するようにも構成される。
【００５７】
メモリ［８０４］は、揮発性メモリ、不揮発性メモリ、リモートストレージ、クラウドストレージ、高速ランダムアクセスメモリ及び／又は一つ以上の磁気ディスク記憶装置、一つ以上の光記憶装置及び／又はフラッシュメモリ（例えば、ＮＡＮＤ，ＮＯＲ）又はその組合せのような不揮発性メモリを含むが、それに限定されない。送信機［８０８］は、プロセッサ［８０２］により生成された第２のリストを送信するように構成される。
【００５８】
図９を参照すると、ユーザ機器［１３０］のブロック図を開示する。図示したように、ユーザ機器［１３０］は、プロセッサ［９０２］のような一つ以上のプロセッサ、メモリ［９０４］のような少なくとも一つのメモリ、送受信機［９０６］、Ｉ／Ｏインタフェース［９０８］のような一つ以上のＩ／Ｏインタフェース及びディスプレイ［９１０］を有してもよい。プロセッサ［９０２］は、一つ以上のＰＯＳ端末［１００］に近接して配置された一つ以上のアクセスポイント［１０５］から信号を受信するために送受信機［９０６］に通信可能に結合されてもよい。プロセッサ［９０２］は、受信した信号に基づいて一つ以上のアクセスポイント［１０５］に対応する一つ以上のアドバタイズサービスセット識別子を識別するとともに一つ以上のアドバタイズサービスセット識別子に関連する受信した信号の信号強度情報を決定するように構成される。
【００５９】
さらに、送受信機［９０６］は、プロセッサ［９０２］によって生成された信号を送信するように構成され、プロセッサ［９０２］によって生成された信号は、信号強度情報、一つ以上のサービスセット識別子及びＵＥ識別子を有してもよい。プロセッサ［９０２］は、メモリ［９０４］と通信を行い、メモリ［９０４］は、プロセッサ［９０２］によって実行される特定のタスクを実行するルーチン、プログラム、オブジェクト、コンポーネント、データ構造等のようなプログラムモジュールを有する。送受信機［９０６］は、第１のサーバ装置［１１０］から第２のリストを受信するように更に構成され、第２のリストは、有効なサービスセット識別子の各々に対応する少なくとも一つのＰＯＳ端末識別子と、少なくとも一つのＰＯＳ端末識別子に対応する追加情報と、を備える。
【００６０】
ユーザ機器［１３０］は、Ｉ／Ｏインタフェース［９０８］を介してユーザ入力を受信してもよい。一実施の形態において、ディスプレイ［９１０］を、ユーザ機器［１３０］を用いてユーザからユーザ入力を受信するために利用してもよく、ディスプレイ［９１０］は、タッチスクリーンディスプレイであってもよい。Ｉ／Ｏインタフェース［９０８］は、ワイヤレス決済のための支払処理オプションの選択を表す入力を受信するようにも構成され、支払処理オプションは、表示された第２のリストから選択される。Ｉ／Ｏインタフェース［９０８］は、種々のソフトウェアインタフェース及びハードウェアインタフェースを有してもよく、例えば、キーボード、マウス、スキャナ、外部メモリ、プリンタ等のような（一つ以上の）周辺機器を有してもよい。
【００６１】
表示装置［９１０］は、デジタルウォレットアプリケーションの少なくともグラフィカルユーザインタフェースを表示するように構成される。さらに、表示装置［９１０］は、第２のリストを表示するように構成され、第２のリストの少なくとも一つのＰＯＳ端末の識別子に対応する少なくとも一つのＰＯＳ端末がワイヤレス決済に利用できる。
【００６２】
上述した説明から明らかなように、本開示は、デジタルウォレット、クレジットカード、デビットカード、ネットバンキング、ＵＰＩ等のような任意の支払手段を用いる支払を所望するユーザに利用できるＰＯＳ端末のリストを自動的に提供するワイヤレス決済の方法及びシステムを提供する。本開示は、バーコードのスキャン又は販売者の電話番号の入力によりＰＯＳを選択するユーザの手動の介在を取り除き、これによって、ワイヤレス決済処理がますます効率的になることを保証する。したがって、ここで説明した技術を用いることによる支払手段を介した支払処理中のＰＯＳ端末の自動的であり、効率的であり、迅速であり、かつ、簡単な発見の結果、ＷｉＦｉ（登録商標）エコシステムにおける支払の分野において大幅な技術的な進歩をもたらす。支払手段は、承認に基づくユーザの支払認証情報を保存することを有することができるとともに自動支払のためのシームレスな支払機構を提供することができる。図示するとともにここで説明した装置、インタフェース、モジュール及び／又は構成要素は、ハードウェア、ソフトウェア及びその組合せで存在してもよい。例示的なシステムアーキテクチャにおけるこれらの装置／構成要素／モジュール／インタフェースの間に示す接続は、種々の有線リンク、無線リンク、論理リンク及び／又は物理リンクを介して互いにやりとりを行ってもよい。さらに、装置／構成要素／モジュール／インタフェースを、他のあり得る方法で接続してもよい。
【００６３】
本開示の一実施の形態によれば、第１のサーバ装置［１１０］及び第２のサーバ装置［１２０］は、専用コンピュータデバイスである。専用コンピュータデバイスは、技術を実行するために配線で接続されてもよい、技術を実行するために永続的にプログラムされた一つ以上の用途向け集積回路（ＡＳＩＣ）若しくはフィールドプログラマブルゲートアレイ（ＦＰＧＡ）のようなデジタル電子装置を有してもよい、又は、ファームウェア、メモリ、他の記憶装置若しくはその組合せのプログラム命令に従う技術を実行するようにプログラムされた一つ以上の汎用ハードウェアプロセッサを有してもよい。そのような専用コンピュータデバイスは、技術を実現するためにカスタムハードワイヤード（ｃｕｓｔｏｍ  ｈａｒｄ−ｗｉｒｅｄ）論理、ＡＳＩＣ又はＦＰＧＡとカスタムプログラミングとを組み合わせてもよい。第１のサーバ装置［１１０］及び第２のサーバ装置［１２０］は、上述した構成要素に加えて、情報を伝達するためのバス又は他の通信機構を有してもよい。
【００６４】
ここでは、開示された実施の形態にかなりの重点を置いたが、本発明の原理から逸脱することなく、多数の実施の形態を行うことができること及び多数の変更を実施の形態に対して行うことができることが理解されよう。本発明の実施の形態におけるこれらの変更及び他の変更は、当業者に明らかであり、これによって、実現される上述した説明的事項が例示的であるとともに限定されるものでないことを理解すべきである。
【図１】
2021527352.tif 000003
【図２】
2021527352.tif 000004
【図３】
2021527352.tif 000005
【図４】
2021527352.tif 000006
【図５】
2021527352.tif 000007
【図６】
2021527352.tif 000008
【図７】
2021527352.tif 000009
【図８】
2021527352.tif 000010
【図９】
2021527352.tif 000011
【国際調査報告】
2021527352.tif 000012